(57)【要約】【課題】簡易な構成で、帯電を防止することができる電気掃除機を提供する。【解決手段】電気掃除機は、負圧を発生させる電動送風機と、前記電動送風機の負圧により吸引された空気に含まれる塵埃を捕集する集塵部と、前記電動送風機を内蔵した本体と、前記本体の被清掃面との対向部に設けられ、導電性を有した帯電防止部材と、備えた。当該構成により、本体の底面が被清掃面の絨毯等の毛先に接触しても、静電気が本体に発生することを防止できる。すなわち、本体の帯電を防止することができる。【選択図】図１
2014079526.tif 000002
【特許請求の範囲】
【請求項１】
負圧を発生させる電動送風機と、
前記電動送風機の負圧により吸引された空気に含まれる塵埃を捕集する集塵部と、
前記電動送風機を内蔵した本体と、
前記本体の被清掃面との対向部に設けられ、導電性を有した帯電防止部材と、
を備えた電気掃除機。
【請求項２】
前記帯電防止部材は、カーボン繊維を添加した樹脂で形成され、前記本体の下部を形成したケースからなる請求項１に記載の電気掃除機。
【請求項３】
前記帯電防止部材は、前記本体の下部に固定された導電性繊維からなる請求項１に記載の電気掃除機。
【請求項４】
前記帯電防止部材に接続され、前記本体の外面から外側に延びた放電用導電性繊維、
を備えた請求項１〜請求項３のいずれか一項に記載の電気掃除機。
【請求項５】
前記本体は、後方に突き出す凸部を有し、
前記放電用導電性繊維は、前記凸部に設けられた請求項４に記載の電気掃除機。
【請求項６】
前記集塵部は、前記電動送風機の負圧により吸引された空気が旋回するように形成された側壁を有し、
前記本体は、カーボン繊維を添加した樹脂で形成され、前記集塵部を保持した請求項１〜請求項５のいずれか一項に記載の電気掃除機。
【発明の詳細な説明】
【技術分野】
【０００１】
この発明は、電気掃除機に関するものである。
【背景技術】
【０００２】
掃除機本体に帯電防止機能を付与したコーティング処理を施した電気掃除機が提案されている。当該電気掃除機によれば、絨毯等の毛先と掃除機本体との摩擦によって、静電気が掃除機本体に蓄積することを防止できる。その結果、床面の塵と空気中に舞う塵とが掃除機本体に付着することを防止できる（例えば、特許文献１参照）。
【先行技術文献】
【特許文献】
【０００３】
【特許文献１】特開２００１−３７４号公報
【発明の概要】
【発明が解決しようとする課題】
【０００４】
しかしながら、コーティング処理のコストは高い。また、掃除機本体が物体に接触すると、コーティング材が剥がれる場合もある。
【０００５】
この発明は、上述の課題を解決するためになされたもので、簡易な構成で、帯電を防止することができる電気掃除機を提供することである。
【課題を解決するための手段】
【０００６】
この発明に係る電気掃除機は、負圧を発生させる電動送風機と、前記電動送風機の負圧により吸引された空気に含まれる塵埃を捕集する集塵部と、前記電動送風機を内蔵した本体と、前記本体の被清掃面との対向部に設けられ、導電性を有した帯電防止部材と、を備えたものである。
【発明の効果】
【０００７】
この発明によれば、簡易な構成で、帯電を防止することができる。
【図面の簡単な説明】
【０００８】
【図１】この発明の実施の形態１における電気掃除機の斜視図である。
【図２】この発明の実施の形態１における電気掃除機の本体と集塵部とを斜め前方から見た斜視図である。
【図３】この発明の実施の形態１における電気掃除機の本体と集塵部とを斜め後方から見た斜視図である。
【図４】この発明の実施の形態１における電気掃除機の本体と集塵部との正面図である。
【図５】この発明の実施の形態１における電気掃除機の本体と集塵部との平面図である。
【図６】この発明の実施の形態１における電気掃除機の本体と集塵部との側面図である。
【図７】この発明の実施の形態１における電気掃除機の本体と集塵部の縦断面図である。
【図８】この発明の実施の形態１における電気掃除機の本体から中ケースを取り外した状態を斜め前方から見た斜視図である。
【図９】この発明の実施の形態１における電気掃除機の本体から中ケースを取り外した状態の正面図である。
【図１０】この発明の実施の形態１における電気掃除機の本体から中ケースを取り外した状態の平面図である。
【図１１】この発明の実施の形態１における電気掃除機の縦断面図である。
【図１２】図１２は図１１の要部拡大図である。
【図１３】この発明の実施の形態２における電気掃除機の本体と集塵部の縦断面図である。
【図１４】この発明の実施の形態２における電気掃除機の本体と集塵部の縦断面図である。
【発明を実施するための形態】
【０００９】
この発明を実施するための形態について添付の図面に従って説明する。なお、各図中、同一又は相当する部分には同一の符号を付しており、その重複説明は適宜に簡略化ないし省略する。
【００１０】
実施の形態１．
図１はこの発明の実施の形態１における電気掃除機の斜視図である。
【００１１】
図１に示すように、電気掃除機１は、電気掃除機本体２を備える。電気掃除機本体２の両側には、車輪３が設けられる。電気掃除機本体２の内部には、コードリール部（図示せず）が設けられる。コードリール部には、電源コード４が巻き回される。電気掃除機本体２の上部には、集塵部５が着脱自在に取り付けられる。集塵部５は、地面に対して所定の角度を有するように配置される。
【００１２】
電気掃除機本体２の前部には、ホース差込口６が設けられる。ホース差込口６には、ホース７の一端が着脱自在に接続される。ホース７は、可撓性を有するように蛇腹状に形成される。ホース７の他端には、接続パイプ８の一端が接続される。接続パイプ８には、手元操作部９が設けられる。手元操作部９には、操作スイッチ１０が設けられる。手元操作部９の他端には、延長管１１の一端が接続される。延長管１１は、真直ぐの円筒状に形成される。延長管１１の他端には、吸引具１２の長手方向中央が接続される。
【００１３】
次に、図２〜図７を用いて、電気掃除機本体２と集塵部５とを説明する。
図２はこの発明の実施の形態１における電気掃除機の本体と集塵部とを斜め前方から見た斜視図である。図３はこの発明の実施の形態１における電気掃除機の本体と集塵部とを斜め後方から見た斜視図である。図４はこの発明の実施の形態１における電気掃除機の本体と集塵部の正面図である。図５はこの発明の実施の形態１における電気掃除機の本体と集塵部との平面図である。図６はこの発明の実施の形態１における電気掃除機の本体と集塵部との側面図である。図７はこの発明の実施の形態１における電気掃除機の本体と集塵部の縦断面図である。
【００１４】
図２〜図６に示すように、電気掃除機本体２は、下ケース１３、上ケース１４、中ケース１５、ケース用補強板１６、ハンドル１７、ハンドル用補強板１８を備える。
【００１５】
下ケース１３は、電気掃除機本体２の下部を形成する。下ケース１３は、帯電防止部材として、カーボン繊維を添加した樹脂で形成される。下ケース１３の肉厚は、１．４ｍｍ弱に設定される。下ケース１３の後部には、凸部１３ａが形成される。凸部１３ａは、下ケース１３の後部から後方に突き出す。下ケース１３の両側には、ハンドル用固定部１３ｂが形成される。
【００１６】
上ケース１４は、下ケース１３の上方に配置される。上ケース１４は、電気掃除機本体２の上部を形成する。上ケース１４は、帯電防止部材として、カーボン繊維を添加した樹脂で形成される。上ケース１４の肉厚は、１．４ｍｍ弱に設定される。上ケース１４の前部には、ホース差込口６が形成される。上ケース１４の後部には、凸部１４ａが形成される。凸部１４ａは、上ケース１４の後部から後方に突き出す。
【００１７】
中ケース１５は、下ケース１３と上ケース１４との間に配置される。中ケース１５は、帯電防止部材として、カーボン繊維を添加した樹脂で形成される。中ケース１５の肉厚は、１．４ｍｍ弱に設定される。ケース用補強板１６は、中ケース１５の外側に配置される。ケース用補強板１６は、下ケース１３のハンドル用固定部１３ｂ近傍まで延びるように配置される。ケース用補強板１６の外面は、電気掃除機本体２の意匠面の一部となる。ケース用補強板１６は、下ケース１３の外面と上ケース１４の外面とよりも前方に向けて水平方向に突き出す。
【００１８】
ハンドル１７は、下ケース１３のハンドル用固定部１３ｂの双方にまたがるように配置される。ハンドル１７は、集塵部５を避けるように屈曲して形成される。ハンドル１７の両端部は、下ケース１３のハンドル用固定部１３ｂの上端部に対向する。ハンドル用補強板１８は、ハンドル１７の外側に配置される。ハンドル用補強板１８の外面は、ハンドル１７の意匠面となる。
【００１９】
図７に示すように、電気掃除機本体２内の下部には、電動送風機１９が設けられる。電動送風機１９よりも前方には、吸入風路（図示せず）が形成される。吸入風路よりも後方には、排気風路（図示せず）が形成される。
【００２０】
図７に示すように、集塵部５は、旋回部２０、ダストカップ２１を備える。
【００２１】
旋回部２０の上部は、円筒部２０ａからなる。旋回部２０の下部は、円錐部２０ｂからなる。円筒部２０ａの側面の一部には、１次開口部２０ｃが形成される。円錐部２０ｂの下端には、２次開口部２０ｄが形成される。２次開口部２０ｄの下方には、２次集塵室２０ｅが形成される。
【００２２】
ダストカップ２１は、旋回部２０の全周を沿うように包囲する。その結果、ダストカップ２１内には、１次集塵室２１ａが形成される。
【００２３】
次に、図８〜図１０を用いて、中ケース１５を説明する。
図８はこの発明の実施の形態１における電気掃除機の本体から中ケースを取り外した状態を斜め前方から見た斜視図である。図９はこの発明の実施の形態１における電気掃除機の本体から中ケースを取り外した状態の正面図である。図１０はこの発明の実施の形態１における電気掃除機の本体から中ケースを取り外した状態の平面図である。
【００２４】
図８〜図１０に示すように、中ケース１５は、電気掃除機本体２の両側に分割される。中ケース１５の双方は、上ケース１４の前部側で互いの端部を対向させる。当該対向端部は、ケース用補強板１６（図８〜図１０においては図示せず）に覆われる。すなわち、ケース用補強板１６は、補強体として、中ケース１５の対向端部にまたがるように固定される。
【００２５】
次に、図１１と図１２とを用いて、ハンドル１７を説明する。
図１１はこの発明の実施の形態１における電気掃除機の縦断面図である。図１２は図１１の要部拡大図である。
【００２６】
図１１と図１２とに示すように、下ケース１３のハンドル用固定部１３ｂの端部とハンドル１７の端部とは対向する。当該対向端部は、ハンドル用補強板１８に覆われる。すなわち、ハンドル用補強板１８は、補強体として、下ケース１３のハンドル用固定部１３ｂの端部とハンドル１７の端部とにまたがるように固定される。
【００２７】
次に、図１と図７とを用いて、電気掃除機１の動作を説明する。
【００２８】
図１において、まず、電源コード４が外部電源に接続される。当該接続により、電気掃除機１が通電状態となる。当該状態において、操作スイッチ１０の操作により電気掃除機１の運転が制御される。
【００２９】
この際、電動送風機１９（図１においては図示せず）が駆動されると、吸引風が発生する。当該吸引風により、床面上のごみと含塵空気とが吸引具１２から吸い込まれる。当該含塵空気は、延長管１１、接続パイプ８、ホース７を介して、電気掃除機本体２内に流入する。すなわち、吸引具１２、延長管１１、接続パイプ８、ホース７は、含塵空気を電気掃除機本体２の外部から内部に流入させるための吸引経路の一部として機能する。
【００３０】
その後、図７に示すように、含塵空気は、吸入風路を経由して集塵部５に移動する。その後、含塵空気は、旋回部２０内で旋回気流となる。
【００３１】
この際、大きな繊維ごみ、毛髪等、比較的嵩の大きなごみ（ごみＡ）は、旋回部２０の内側壁に押し付けられる。このため、当該ごみＡは、１次開口部２０ｃで旋回気流から分離される。すなわち、当該ごみＡは、１次開口部２０ｃを介して１次集塵室２１ａ内に移動する。
【００３２】
これに対し、１次集塵室２１ａ内に流入しなかったごみは、旋回部２０を下降する旋回気流に乗って旋回部２０の下方に移動する。当該移動により、砂ごみや細かな繊維ごみ等の比較的嵩の小さなごみ（ごみＢ）は、２次開口部２０ｄを通過する。その後、当該ごみＢは、２次集塵室２０ｅ内に捕捉される。
【００３３】
その後、当該気流は、旋回部２０の中心軸に沿って上昇する。その後、当該気流は、排気風路側へ移動する。その後、当該気流は、電動送風機１９に吸引される。その後、当該気流は、電動送風機１９に排出される。その後、当該空気は、電気掃除機本体２の排気口（図示せず）から排出される。
【００３４】
なお、集塵部５に蓄積したごみは、集塵部５からダストカップ２１を取り外すことで、容易に捨てられる。
【００３５】
電気掃除機１において、集塵部５が塵埃を分離する際、塵埃と旋回部２０との間には、摩擦が発生する。当該摩擦により、静電気が旋回部２０の側面に発生する。
【００３６】
しかしながら、上ケース１４は導電性を有する。このため、当該静電気は、ダストカップ２１等を経由して、上ケース１４に移動する。その後、当該静電気は、中ケース１５を経由して、下ケース１３に移動する。このため、当該静電気は、集塵部５に蓄積しない。
【００３７】
電気掃除機本体２を移動させると、下ケース１３の底面が床面の絨毯等の毛先に接触し得る。この場合、静電気が電気掃除機本体２の底面に発生し得る。
【００３８】
しかしながら、下ケース１３は導電性を有する。このため、静電気は下ケース１３に発生しない。
【００３９】
以上で説明した実施の形態１によれば、下ケース１３は、帯電防止部材として、カーボン繊維を添加した樹脂で形成される。このため、帯電防止のための部材を増やすことなく、簡易な構成で、下ケース１３の帯電を防止することができる。その結果、床面の塵と空気中の塵とが下ケース１３に付着することを防止できる。従って、電気掃除機１の使用者を不快にさせることもない。
【００４０】
なお、下ケース１３の一部のみをカーボン繊維を添加した樹脂で形成してもよい。この場合も、下ケース１３の帯電を防止することができる。
【００４１】
また、帯電防止部材として、導電性繊維を下ケース１３の底面の前部又は一部に貼り付けてもよい。この場合、下ケース１３を導電性のない樹脂で形成しても、電気掃除機本体２の帯電を防止することができる。
【００４２】
また、下ケース１３、上ケース１４、中ケース１５は、導電性を有する。その結果、集塵部５で発生した静電気を電気掃除機本体２に移動させることができる。
【００４３】
また、電気掃除機本体２には、ケース用補強板１６が設けられる。このため、中ケース１５の対向端部の耐衝撃性を高めることができる。また、電気掃除機１の使用中にホース差込口６に荷重がかかっても、中ケース１５の対向端部がずれることはない。
【００４４】
また、中ケース１５を分割して形成することができる。その結果、中ケース１５を形成することが容易になる。このため、例えば、中ケース１５を成形するための金型を容易に製作することができる。また、中ケース１５を薄肉にすることができる。このため、電気掃除機本体２内のコードリール部、基板等の部品を配置する領域を拡げることができる。
【００４５】
また、電気掃除機本体２には、ハンドル用補強板１８が設けられる。このため、下ケース１３のハンドル用固定部１３ｂとハンドル１７との対向端部の耐衝撃性を高めることができる。
【００４６】
また、ケース用補強板１６は、下ケース１３の外面と上ケース１４の外面とよりも前方に向けて水平方向に突き出す。このため、障害物が電気掃除機本体２の前方にあった際に、ケース用補強板１６が下ケース１３と上ケース１４とより先に障害物に接触する。すなわち、下ケース１３と上ケース１４とが障害物に衝突することを防止できる。
【００４７】
また、ハンドル用補強板１８を下ケース１３の側面と上ケース１４の側面とよりも外側に向けて水平方向に突き出すようにしてもよい。この場合、障害物が電気掃除機本体２の側方にあった際に、ハンドル用補強板１８が下ケース１３と上ケース１４とよりも先に障害物に接触する。すなわち、下ケース１３と上ケース１４とが障害物に衝突することを防止できる。
【００４８】
また、ケース用補強板１６とハンドル用補強板１８とを下ケース１３、上ケース１４、中ケース１５よりも軟らかくしてもよい。この場合、ケース用補強板１６又はハンドル用補強板１８と接触する物に傷が付くことを抑制できる。
【００４９】
また、ケース用補強板１６を第１補強板と第２補強板との２層にしてもよい。すなわち、第１補強板で中ケース１５の対向端部を覆い、第２補強板で第１補強体を覆ってもよい。この際、第１補強板を中ケース１５よりも硬くし、第２補強板を第１補強板よりも軟らかくすればよい。この場合、中ケース１５の対向端部の耐衝撃性を高めつつ、ケース用補強板１６と接触する物に傷が付くことを抑制できる。
【００５０】
また、ハンドル用補強板１８を第１補強板と第２補強板との２層にしてもよい。すなわち、第１補強板で下ケース１３のハンドル用固定部１３ｂとハンドル１７との対向端部を覆い、第２補強板で第１補強体を覆ってもよい。この際、第１補強板を下ケース１３のハンドル用固定部１３ｂとハンドル１７とよりも硬くし、第２補強板を第１補強板よりも軟らかくすればよい。この場合、下ケース１３のハンドル用固定部１３ｂとハンドル１７との対向端部の耐衝撃性を高めつつ、ハンドル用補強板１８と接触する物に傷が付くことを抑制できる。
【００５１】
実施の形態２．
図１３はこの発明の実施の形態２における電気掃除機の本体と集塵部の縦断面図である。なお、実施の形態１と同一又は相当部分には同一符号を付して説明を省略する。
【００５２】
実施の形態２の電気掃除機本体２は、実施の形態１の電気掃除機本体２の凸部１３ａに放電用導電性繊維２２を貼り付けたものである。放電用導電性繊維２２は、凸部１３ａから斜め後方に突き出すように配置される。
【００５３】
電気掃除機１において、集塵部５で塵埃を分離する際、塵埃と旋回部２０との間には、摩擦が発生する。当該摩擦により、静電気が旋回部２０の側面に発生する。
【００５４】
しかしながら、上ケース１４は導電性を有する。このため、当該静電気は、ダストカップ２１等を経由して、上ケース１４に移動する。その後、当該静電気は、中ケース１５を経由して、下ケース１３に移動する。その後、当該静電気は、放電用導電性繊維２２から空中に放たれる。
【００５５】
次に、図１４を用いて、電気掃除機１の収納方法を説明する。
図１４はこの発明の実施の形態２における電気掃除機の本体と集塵部の縦断面図である。
【００５６】
図１４に示すように、電気掃除機１を収納する際、電気掃除機本体２は、凸部１３ａ、１４ａを下方にして配置される。この際、放電用導電性繊維２２は、床面の絨毯等に接触する。その結果、下ケース１３に残った静電気は、放電用導電性繊維２２を介して絨毯等に放たれる。
【００５７】
以上で説明した実施の形態２によれば、放電用導電性繊維２２が電気掃除機本体２の外面から外側に延びる。このため、旋回部２０で発生した静電気を空中に放つことができる。
【００５８】
また、放電用導電性繊維２２は、凸部１３ａに設けられる。このため、電気掃除機１を収納すれば、下ケース１３に残った静電気を絨毯等に放つことができる。
【００５９】
なお、導電性繊維を下ケース１３の底面に貼り付けた場合は、当該導電性繊維の端部を放電用導電性繊維２２とすればよい。この場合も、旋回部２０で発生した静電気を空中に放つことができる。また、電気掃除機１を収納すれば、下ケース１３に残った静電気を絨毯等に放つことができる。
【符号の説明】
【００６０】
１  電気掃除機、  ２  電気掃除機本体、  ３  車輪、  ４  電源コード、
５  集塵部、  ６  ホース差込口、  ７  ホース、  ８  接続パイプ、
９  手元操作部、  １０  操作スイッチ、  １１  延長管、  １２  吸引具、
１３  下ケース、  １３ａ  凸部、  １３ｂ  ハンドル用固定部、
１４  上ケース、  １４ａ  凸部、  １５  中ケース、  １６  ケース用補強板、
１７  ハンドル、  １８  ハンドル用補強板、  １９  電動送風機、  ２０  旋回部、
２０ａ  円筒部、  ２０ｂ  円錐部、  ２０ｃ  １次開口部、  ２０ｄ  ２次開口部、
２０ｅ  ２次集塵室、  ２１  ダストカップ、  ２１ａ  １次集塵室、
２２  放電用導電性繊維
【図１】
2014079526.tif 000003
【図２】
2014079526.tif 000004
【図３】
2014079526.tif 000005
【図４】
2014079526.tif 000006
【図５】
2014079526.tif 000007
【図６】
2014079526.tif 000008
【図７】
2014079526.tif 000009
【図８】
2014079526.tif 000010
【図９】
2014079526.tif 000011
【図１０】
2014079526.tif 000012
【図１１】
2014079526.tif 000013
【図１２】
2014079526.tif 000014
【図１３】
2014079526.tif 000015
【図１４】
2014079526.tif 000016